(57)【要約】【課題】蛍光染色を行った細胞計測において、計測効率を向上させる細胞計測装置１を提供することを目的とする。【解決手段】蛍光染色試薬を用いて染色した検体中に存在する細胞数を計測する場合において、計測途中の時点でも、あらかじめ設定しておいた数値を超えた場合、警告発生手段２を備えることで警告を発生させたり、計測中断手段６を備えることで、計測を中断させたり、細胞数推測手段５を備えることで、現在の計測結果から最終結果の細胞数を推測し、あらかじめ設定しておいた数値を超えた場合には警告を発生したり、計測を中断させたりできる細胞計測装置１が得られる。【選択図】図３
2007040962.tif 000002
【特許請求の範囲】
【請求項１】
細胞を蛍光染色試薬を用いて染色し、蛍光発光した発光点の個数から細胞の数量を計測する装置において、あらかじめ設定した細胞数を超えた場合に、警告を発する警告発生手段を備えた細胞計測装置。
【請求項２】
細胞を蛍光染色試薬を用いて染色し、蛍光発光した発光点の個数から細胞の数量を計測する装置において、計測中に計算された結果より、最終結果を推測する細胞数推測手段を備えた細胞計測装置。
【請求項３】
細胞数推測手段により、最終結果があらかじめ設定した細胞の数量を超えることが予想された場合に警告を発する警告発生手段を備えた請求項２に記載の細胞計測装置。
【請求項４】
警告発生時に計測を中断する計測中断手段を備えた請求項１または３のいずれかに記載の細胞計測装置。
【請求項５】
蛍光染色試薬により発光した発光点の面積から細胞数を判断する細胞数判断手段を備えた請求項１乃至４いずれかに記載の細胞計測装置。
【請求項６】
発光点の細胞数の数量があらかじめ設定した数量を超えた場合に、警告を発する警告発生手段を備えた請求項５に記載の細胞計測装置。
【請求項７】
警告発生時に計測を中断する計測中断手段を備えた請求項６記載の細胞計測装置。
【請求項８】
予め設定した検査領域の発光点の面積を積算する発光点面積積算手段と前記発光点面積積算手段を用いて計測中に計算された結果より、最終結果を推測する発光点積算面積推測手段を備えその発光点積算面積推測手段によって計算された面積が、予め設定した面積を超えた場合に、警告を発する警告発生手段を備えた請求項１乃至７いずれかに記載の細胞計測装置。
【請求項９】
計測を中断する計測中断手段を備えた請求項８記載の細胞計測装置。
【請求項１０】
発光している発光点を形状または面積の違いにより発光点を分類し複数種類の細胞と細胞以外の物質を区別する細胞識別手段を備えた請求項１乃至９のいずれかに記載の細胞計測装置。
【請求項１１】
計測された発光点の面積を細胞数に変換する細胞数変換手段を備えた請求項１乃至４あるいは、請求項９または１０のいずれかに記載の細胞計測装置。
【請求項１２】
細胞計測装置を駆動するための細胞計測装置駆動ソフトを備え、細胞計測装置駆動ソフトを前記２重立ち上げできないようにする２重立上防止手段を備えた請求項１乃至１１いずれかに記載の細胞計測装置。
【請求項１３】
細胞計測装置駆動ソフトの２重立ち上げに対して、警告を発する警告発生手段を設けた請求項１２記載の細胞計測装置。
【請求項１４】
警告発生手段として警告発生を警告音で行いその警告音を変化できる音質可変手段を備えた請求項１、３、６、８、１２または１３に記載の細胞計測装置。
【請求項１５】
細胞の計測が終わったことを知らせる終了音発生手段を備えた請求項１乃至１４いれかに記載の細胞計測装置。
【請求項１６】
終了音の音質を変化できる音質可変手段を設けた請求項１乃至１５のいずれかに記載の細胞計測装置。
【請求項１７】
警告音と終了音の発生を違う音質で発生することができる音質可変手段を備えた請求項１６記載の細胞計測装置。
【請求項１８】
他の計測ソフトで動かした場合にも細胞計測装置中の部品の動作時間が積算される動作時間積算手段を備えた請求項１２乃至１７のいずれかに記載の細胞計測装置。
【請求項１９】
細胞計測装置駆動ソフトの起動アイコンの色と、計測画面の色を同じにする構成とした請求項１２乃至１８いずれかに記載の細胞計測装置。
【請求項２０】
細胞計測装置駆動ソフトと他の細胞計測ソフトの駆動アイコンの色をかえた構成とした請求項１２乃至１９のいずれかに記載の細胞計測装置。
【請求項２１】
警告を発生させる基準となる数値を細胞計測装置の使用者が任意に設定できるようにした請求項１または３乃至２０のいずれかに記載の細胞計測装置。
【請求項２２】
発生した警告内容を保存可能とした請求項１または３乃至２１のいずれかに記載の細胞計測装置。
【請求項２３】
保存した警告内容を表示できるようにした請求項１または３乃至２２のいずれかに記載の細胞計測装置。
【請求項２４】
計測結果の表示を次の計測時まで画面表示を可能とした請求項１乃至２３のいずれかに記載の細胞計測装置。
【請求項２５】
検体の計測面積を細胞計測装置の使用者が任意に設定できるようにした請求項１乃至２４のいずれかに記載の細胞計測装置。
【発明の詳細な説明】
【技術分野】
【０００１】
本発明は、細胞を蛍光染色試薬で染色し、励起光を照射し蛍光させ、その蛍光した箇所の個数や面積を計測することによって、細胞の個数を計測する細胞計測装置に関する。
【背景技術】
【０００２】
従来この種の細胞計測装置としては、特許文献１に示されたものが知られている。
【０００３】
以下、この種の細胞計測装置について図１４を参照しながら説明する。
【０００４】
細胞計測装置としては、細胞計測装置１０１を利用して実施されており、細胞計測装置１０１としては、細胞を蛍光染色検体１０２に励起光照射手段１０３より励起光を励起光分光フィルター１０４、光の方向を変えるプリズム１０５を介して蛍光染色検体１０２に照射し、蛍光染色検体１０２上の染色された細胞が前記励起光により発生する蛍光を対物レンズ１０６により集光し、プリズム１０５および、蛍光のみを分離する蛍光分光フィルター１０７を介して撮影手段１０８内に伝達し、撮影手段１０８内で蛍光画像を撮影し、その撮影画像を通信ケーブル１０９を介して細胞計測手段１１０におくり細胞の個数を計測する細胞計測装置１０１が記載されている。
【特許文献１】特開２００１−３４００７２号公報
【発明の開示】
【発明が解決しようとする課題】
【０００５】
このような従来の細胞計測装置では、撮影された画像に異常があったり、計測結果に異常があったりしても結果が異常であるという警告を発生する機能をもたないため、計測の即時中断ということができず、計測時間を無駄にしてしまうという課題があり、計測の効率を向上させるということが要求されている。
【０００６】
本発明は、このような従来の課題を解決するものであり、計測結果の異常、計測撮影画像の異常を判断し即座に警告を発し、計測を中断する機能を備えることで、計測効率の高い細胞計測装置を提供することを目的としている。
【課題を解決するための手段】
【０００７】
本発明の細胞計測装置は、上記目的を達成するため、検体中の細胞を蛍光染色試薬を用いて染色し、励起光をあて蛍光した発光点の個数から細胞の数量を計測する装置において、計測途中であってもあらかじめ設定した細胞数を超えた場合に、警告を発する警告発生手段を備えた構成としたものである。
【０００８】
この構成により、計測結果、撮影画像が異常である事を異常が発生した時点で知ることができるため不要なデータをとる作業を中止でき、計測効率の高い細胞計測装置を提供できる。
【０００９】
また他の手段は、細胞を蛍光染色試薬を用いて染色し、蛍光発光した発光点の個数から細胞の数量を計測する装置において、計測中に計算された結果より、最終結果を推測する細胞数推測手段を備えた構成としたものである。
【００１０】
この構成により、計測結果が最終いくらになるか、その結果が異常であるかどうかを、最終計測結果をまたずに計測途中で知ることができ、異常であった場合には計測途中で計測を中断することができ計測効率の高い細胞計測装置を提供できる。
【００１１】
また他の手段は前記細胞数推測手段により、最終結果があらかじめ設定した数値を超えることが予想された場合に警告を発する警告発生手段を備えた構成としたものである。
【００１２】
この構成により、計測中に設定と計測結果の人為的な比較をおこなわずに、装置側から異常であることを教えてくれるため、確実に異常情報を確認できる細胞計測装置を提供できる。
【００１３】
また他の手段は、警告発生時に計測を中断する計測中断手段を備えた構成としたものである。
【００１４】
この構成により、警告発生と同時に計測作業を自動的に中止できるため、細胞計測器装置の止め忘れがなくなり、計測作業効率の高い細胞計測装置が提供できる。
【００１５】
また他の手段は、蛍光染色試薬で蛍光した発光点の発光した面積から細胞数を判断する細胞数判断手段を備えた構成としたものである。
【００１６】
この構成により、細胞の塊からその中に存在する細胞数を推測でき、計測精度の高い細胞計測装置が提供できる。
【００１７】
また他の手段は、細胞数判断手段によって、複数の細胞と判断された発光点の細胞数の数量が予め設定した数量を超えた場合に、警告を発する警告発生手段を備えた構成としたものである。
【００１８】
この構成により、塊で存在する細胞に対して、細胞の計測数が多いと異常を発生することができる細胞計測装置を提供できる。
【００１９】
また他の手段は、警告発生時に計測を中断する機能備えた構成としたものである。
【００２０】
この構成により、異常時に計測を即時に中断でき、効率のよい細胞計測ができる細胞計測装置を提供できる。
【００２１】
また他の手段は、予め設定した検査領域での発光点の面積を積算する発光点面積積算手段と、前記発光点面積積算手段を用いて計測中に計算された結果より、最終結果を推測する発光点積算面積推測手段とを備え、その発光点積算面積推測手段によって積算された面積が、予め設定した面積を超えた場合に、警告を発する警告発生手段を備えた構成としたものである。
【００２２】
この構成とすることで、細胞の塊が存在していたとしても確実に細胞を占有した面積を計測することで細胞数を知ることができ、規定値を超えた場合には警告を発生し、計測作業効率を向上させることができる細胞計測装置を提供できる。
【００２３】
また他の手段は、計測を中断する計測中断手段を備えた構成としたものである。
【００２４】
この構成により、警告発生と同時に計測作業を自動的に中止できるため、計測作業効率の高い細胞計測装置が提供できる。
【００２５】
また他の手段は、発光している発光点の形状または面積により発光点を分類し複数種類の細胞、細胞以外の物質を区別する細胞識別手段を備えた構成としたものである。
【００２６】
この構成により、細胞とそれ以外の物質を区別することができることで、計測精度の高い細胞計測装置が提供できる。
【００２７】
また他の手段は、前記細胞計測手段にて計測された発光点の面積を細胞数に変換する細胞数変換手段を備えた構成としたものである。
【００２８】
この構成により、細胞の塊を数に変換して計測できるため、精度の高い細胞計測装置が提供できる。
【００２９】
また他の手段は、細胞計測装置の駆動するための細胞計測装置駆動ソフトを２重立ち上げできない２重立上防止手段を備えた構成としたものである。
【００３０】
この構成により、２重立ち上げによるソフトの動作不良を防止できる細胞計測装置が提供できる。
【００３１】
また他の手段は、前記細胞計測装置駆動ソフトの２重立ち上げに対して、警告を発する警告発生手段を設けた構成としたものである。
【００３２】
この構成により、ソフトを２重立ち上げしたことを明確に確認できる細胞計測装置が提供できる。
【００３３】
また他の手段は、細胞の計測が終わったことを知らせる終了音の発生できる終了音発生手段を備えた構成としたものである。
【００３４】
この構成により、計測が終わったことを音声で知ることができるため確実な計測終了確認ができる細胞計測装置が提供できる。
【００３５】
また他の手段は、警告発生手段として警告発生を警告音で行いその警告音を変化できる音質可変手段を備えた構成としたものである。
【００３６】
この構成により、警告告知を複数のパターンで行うことができる細胞計測装置が提供できる。
【００３７】
また他の手段は、終了音の発生パターンや周波数を可変とできるなど、終了音の音質を変化できる音質可変手段を備えた構成としたものである。
【００３８】
この構成により、計測終了確認がより確実な細胞計測装置が提供できる。
【００３９】
また他の手段は、警告音と計測終了音の発生を違う音質で発生することができる音質可変手段を備えた構成としたものである。
【００４０】
この構成により、警告音と計測終了音を確実に区別することができ、計測効率を向上できる細胞計測装置が提供できる。
【００４１】
また、他の手段は他の計測ソフトで動かした場合にも細胞計測装置中の部品の動作時間が積算される動作時間積算手段を備えた構成としたものである。
【００４２】
この構成により、部品の動作時間を正確に知ることができる細胞計測装置が提供できる。
【００４３】
また他の手段は、細胞計測装置駆動ソフトの起動アイコンの外周色などの色と、計測画面の外周色などの色を同じにした構成としたものである。
【００４４】
この構成により、現在動作しているソフトがどのソフトであるか明確にできる細胞計測装置が提供できることとなる。
【００４５】
また他の手段は、細胞計測装置駆動ソフトと他の細胞計測ソフトの駆動アイコンの色をかえた構成としたものである。
【００４６】
この構成により、他の駆動ソフトとの区別が明確になり、ソフトの誤った立ち上げが防ぐことのできる細胞計測装置駆動ソフトを備えた細胞計測装置が提供できる。
【００４７】
また、他の手段は警告を発させる基準となる数値を細胞計測装置の使用者が任意に設定できるようにした構成としたものである。
【００４８】
この構成により、細胞計測装置の使用者が計測対象物に応じた数値で警告を発生させたり、計測を中断させたりできるため、使用者が使いやすい細胞計測装置を提供できる。
【００４９】
また、他の手段は、発生した警告内容を保存することができる構成としたものである。
【００５０】
この構成により、過去に発生した警告内容を再度表示することのできる細胞計測装置を提供できる。
【００５１】
また、他の手段は、保存した前記警告内容を表示することができる構成としたものである。
【００５２】
この構成により、過去に発生した警告内容を表示することで、過去の異常内容を再度確認でき計測対象検体を作成するときの参考データとして有効に使うことのできるデータを表示できる細胞計測装置が提供できる。
【００５３】
また、他の手段は、計測結果表示を次の計測サンプルを開始する前まで表示することができる構成としたものである。
【００５４】
この構成により、計測結果をより長く表示でき、利便性の高い細胞計測装置が提供できる。
【００５５】
また、他の手段は、計測検体の面積を細胞計測装置の使用者が任意に設定できる構成としたものである。
【００５６】
この構成により、細胞計測装置特有の計測用冶具を使用しない使用者が任意な計測治具を使用できる細胞計測装置が提供できる。
【発明の効果】
【００５７】
本発明によれば、計測結果の異常には計測中であっても即座に異常情報を発することと、使用者に確実に異常を知らせることができることと、計測終了時には計測終了情報を確実に使用者に知らせることができることで、計測作業効率を高くできるという効果と、細胞の占有する面積から細胞数を計算できるので高精度で計測できるという効果のある細胞計測装置を提供できる。
【発明を実施するための最良の形態】
【００５８】
本発明の請求項１記載の発明は、細胞を蛍光染色試薬を用いて染色し、励起光を当てることによって蛍光発光した発光点を細胞の発光として細胞の数量を計測する装置において、計測途中であってもあらかじめ設定した細胞数を超えた場合に、異常事態であることを知らせる警告を発する警告発生手段を備えたことで、使用者に即座に計測結果の異常を知らせることができるという作用を有する。
【００５９】
本発明の請求項２記載の発明は、計測中に計算された結果より、最終結果を推測する細胞数推測手段を備えたことで、最終計測結果を待たずに計測結果の推測値を知ることができるという作用を有する。
【００６０】
本発明の請求項３記載の発明は、前記細胞数推測手段により、最終結果があらかじめ設定した数値を超えることが予想された場合に異常警告を発する警告発生手段を備えたことで、最終計測結果をまたずに、異常を知ることができるという作用を有する。
【００６１】
本発明の請求項４記載の発明は、警告発生時に計測を中断する機能を備えたことにより無駄な計測を防ぐことができるという作用を有する。
【００６２】
本発明の請求項５記載の発明は、染色試薬で発光した発光点の発光した面積から細胞数を判断する細胞数判断手段を備えたことで、塊で存在する細胞の個数を計測できるという作用を有する。
【００６３】
本発明の請求項６記載の発明は、細胞数判断手段によって、複数の細胞と判断された発光点の細胞の数量が予め設定した数量を超えた場合に、警告を発する警告発生手段を備えたことで、細胞の個数が異常であること確実に告知できるという作用を有する。
【００６４】
本発明の請求項７記載の発明は、警告発生時に計測を中断する計測中断手段を備えたことで、無駄な計測を省略できるという作用を有する。
【００６５】
本発明の請求項８記載の発明は、予め設定した検査領域の発光点の面積を積算する発光点面積積算手段と、前記発光点面積積算手段を用いて計測中に計算された結果より、最終結果を推測する発光点積算面積推測手段を備え、その発光点積算面積推測手段によって計算された面積が、予め設定した数量を超えた場合に、警告を発する警告手段を備えたことで、発光点の面積による計測結果の状態を知ることができ、その結果が異常であればその情報を確実に告知できるという作用を有する。
【００６６】
本発明の請求項９記載の発明は、計測を中断する計測中断手段を備えたことで、異常時での計測作業の無駄を省略できるという作用を有する。
【００６７】
本発明の請求項１０記載の発明は、発光している発光点の形状あるいは面積の大きさの違いにより発光点を分類し複数種類の細胞と細胞以外の物質を区別する細胞識別手段を備えたことで、細胞をより確実に識別できるという作用を有する。
【００６８】
本発明の請求項１１記載の発明は、計測された発光点の面積を細胞数に変換する細胞数変換手段を備えたことで、細胞数を精密な数値で表現できるという作用を有する。
【００６９】
本発明の請求項１２記載の発明は、細胞計測装置を駆動するための細胞計測装置駆動ソフトを備えその細胞計測装置駆動ソフトを２重立ち上げできないようにする２重ソフト立上防止手段を設けた構成としたことで、２つの細胞計測装置駆動ソフトが同時に動作しないようにできるという作用を有する。
【００７０】
本発明の請求項１３記載の発明は、前記細胞計測装置駆動ソフトの２重立ち上げに対して、警告を発する警告発生手段を設けた構成としたことで、細胞計測ソフトの立ち上げ異常をより確実に告知できるという作用を有する。
【００７１】
本発明の請求項１４記載の発明は、警告音を音の発生パターン、周波数を可変とする等ができる音質変換手段を設けた構成としたことで、警告告知を複数のパターンで行うことができるという作用を有する。
【００７２】
本発明の請求項１５記載の発明は、細胞の計測が終わったことを知らせる終了音を発生することができる終了音発生手段を備えた構成としたことで、計測終了を確実に告知できるという作用を有する。
【００７３】
本発明の請求項１６記載の発明は、警告音を音の発生パターン、周波数を可変とする等ができる音質可変手段を設けた構成としたことで、警告告知を複数のパターンで行うことができるという作用を有する。
【００７４】
本発明の請求項１７記載の発明は、警告音と終了音の発生を違う音質で発生できる音質可変手段を備えた構成としたことで、計測時の計測異常の警告と計測終了を使用者が区別しやすくできるという作用を有する。
【００７５】
本発明の請求項１８記載の発明は、他の計測ソフトで動かした場合にも細胞計測装置中の部品の動作時間が積算される動作時間積算手段備えたことで、他の細胞計測装置駆動ソフトで駆動した場合を含めた部品の総使用時間を知ることができるという作用を有する。
【００７６】
本発明の請求項１９記載の発明は、細胞計測装置の起動アイコンの外周色と、計測画面の外周色を同じにしたので、動作中の細胞計測装置がどのソフトか判別しやくできるという作用を有する。
【００７７】
本発明の請求項２０記載の発明は、駆動ソフトと他の細胞計測ソフトの駆動アイコンの色をかえたことで、他の細胞計測装置との識別をしやすくできるという作用を有する。
【００７８】
本発明の請求項２１記載の発明は、警告を発生させる数値を細胞計測装置の使用者が任意に設定できるようにしたことで、使用者の都合により警告を発生させるがことができるという作用を有する。
【００７９】
本発明の請求項２２記載の発明は、発生した警告内容を保存可能としたことで、使用者が過去の警告内容をいつでも呼び出すことができるという作用を有する。
【００８０】
本発明の請求項２３記載の発明は、保存した警告内容を表示可能としたことで、使用者が過去の警告内容をいつでもその場で確認できるという作用を有する。
【００８１】
本発明の請求項２４記載の発明は、計測結果の表示を次の計測時まで画面表示可能としたことで、使用者が計測結果の確認をしやすくできるという作用を有する。
【００８２】
本発明の請求項２５記載の発明は、計測検体の計測面積を、細胞計測装置の使用者が任意に設定できるようにしたことで、計測検体の自由度を増やせるという作用を有する。
【００８３】
以下、本発明の実施の形態について図面を参照しながら説明する。
【００８４】
（実施の形態１）
図１は、本発明の実施の形態１の細胞計測装置１の構成図の一例である。従来例と同一部分は同一番号を附し詳細な説明は省略する。図１に示すように、細胞計測装置１は、細胞を蛍光染色試薬を用いて染色させ、蛍光染色され発光した発光点の個数を数え、その個数から計測したい細胞の数量を計測するものである。細胞計測装置１内に、広い波長領域を持つ例えば水銀灯やキセノンランプのような光を発する照明照射手段２と、蛍光色素を励起させる波長帯のみを透過させる励起フィルター３と、透過した励起光を反射し、蛍光染色検体から発する蛍光を透過させる分光フィルター４と、この分光フィルター４からの励起光を集光したり、蛍光染色検体１０２からの蛍光を集光したり、計測対象物を拡大したりするための対物レンズ５と、純粋な細胞の蛍光発光波長帯を分離する蛍光分光フィルター６と、蛍光分光フィルター６で分離された蛍光を撮影する、例えば撮像素子にＣＣＤを使用するＣＣＤカメラのような撮影手段７とを備えた細胞計測装置本体８と、撮影手段７で撮影された画像データ転送するための通信ケーブル１０９と、転送されてきた画像データを受け取る細胞計測手段９と、細胞計測手段９で計測された結果をもとに、計測結果の表示を行わせたり、細胞駆動装置の運転停止や、励起光の露光時間や、撮影手段７の制御などを行うための細胞計測装置駆動ソフト１０と細胞計測手段９から送られてくるデータをもとに、あらかじめ規定された数値例えば、検体中に許容される細胞数の限度値すなわち許容細胞数などの異常数値と計測結果を比較し、異常数値を超えたかどうか判断し、異常と判断した場合に、細胞計測装置駆動ソフト１０に警告発生信号を送る警告発生手段１１と、異常時の異常音発生や、計測結果の表示、各種データの入力等を行うための細胞計測装置駆動用パソコン１２とを備えている。
【００８５】
次にこれらの、構成要件の関係について説明する。細胞計測装置本体８に、照明照射手段２から発せられた光を、蛍光染色検体１０２を染色した蛍光色素を励起させる波長を分離する励起フィルター３で励起光を分離し、この分離された励起光を分光フィルター４で対物レンズ５の方向へ反射し、励起光を受けた対物レンズ５は、この励起光を集光して蛍光染色検体１０２により強い光を照射する。蛍光染色検体１０２は、照射された励起光により蛍光染色された細胞から蛍光を発するようになり、対物レンズ５で発光した蛍光を集光し、計測対象物を拡大して、分光フィルター４を通過して蛍光分光フィルター６に到達する。蛍光分光フィルター６に到達した光は、蛍光波長成分以外の波長の光が混ざっている可能性があるため、この蛍光分光フィルター６にて純粋な細胞の蛍光成分のみを分離する。この蛍光分光フィルター６により分離された光は、撮影手段７撮影される。撮影された画像は、通信ケーブル１０９を介して細胞計測装置駆動用パソコン１２に送られ、送られてきた画像データは、細胞計測手段９にて画像処理が行われ、前記画像データの発光点から細胞数を計測行う。細胞計測手段９により計測された結果は、細胞計測装置駆動ソフト１０と、警告発生手段１１に送られ、細胞計測装置駆動ソフト１０は、細胞計測装置駆動用パソコン１２に表示させたり、警告発生手段１１より警告信号を受けたときには、細胞計測装置駆動用パソコン１２を警告音を発生させる。また、警告発生手段１１は、細胞計測手段９より計測結果を受け取り、計測結果と予め入力された異常を判定するための異常判定値とを比較し計測結果が異常判定値より大きければ、異常発生信号を細胞計測装置駆動ソフト１０に送るようになっている。
【００８６】
さらに、細胞計測装置駆動用パソコン１２には、警告音、終了音などの音声を発生するためのスピーカーや計測結果を表示するための液晶モニターなどが備えられている。
【００８７】
また、細胞計測装置駆動ソフト１０は、細胞計測装置１本体内の照明照射手段２による撮影のための照明を点灯したり消灯したりすることや、撮影手段７による検体の撮影を行ったり、撮影の露光時間を決めたりすることを通信ケ―ブル１０９を介して指令を出したりもできるようにプログラムされたものである。
【００８８】
細胞計測手段９の一例をもう少し詳細に記載すると、撮影された検体の画像から輝度値分布データに作成しそれぞれの輝度値の強さにより、細胞の試薬による蛍光か、否かを判断する。このような手段で、細胞と判断した蛍光点を計測、積算し、次にその積算した蛍光点数を細胞計測装置駆動ソフトに送るようにプログラムされたものである。
【００８９】
警告発生手段１１をもう少し詳細に記述すると、計測途中であってもあらかじめ設定した細胞数、例えば、検体中に許容される細胞数の限度値、すなわち許容細胞数などの予め入力された異常を判定するための異常判定値を超えた場合に、音声発生や液晶表示などの警告発生信号を発生、送信するようにプログラムされたものである。警告発生手段１１は、計測結果の計測値と異常判定値を比較判断し、計測値が異常判定値を超えると、音声発生や液晶表示などの警告発生信号を発生、送信するように、プログラムされたものであり、異常判定値の一例としては、国際酪農連盟の基準値である５０万個／ｍｌを考慮して、より安全側で警告を発する３０万個／ｍｌとする。
【００９０】
図１には記載していないが、細胞計測装置本体８は規定寸法を動かしながら蛍光染色検体を撮影できる蛍光染色検体１０２の駆動装置も備えている。この駆動装置により蛍光染色検体１０２は、自由に計測箇所を変えることができるようになっている。規定寸法の一例は１．５ｍｍ程度である。また、駆動装置の規定寸法の入力は、細胞計測装置駆動ソフト１０により行われる。撮影手段７としては、細胞の蛍光画像が撮影できれば良く、前述したＣＣＤカメラなどがある。
【００９１】
また、図２は、照明照射方法の構成図の一例である。従来例と同一部分は同一番号を附し詳細な説明は省略する。図２に示すように、励起フィルター３からでた光を励起光集光レンズ１３により集光し、蛍光染色検体１０２に照射し、蛍光染色検体１０２から発せられた蛍光は対物レンズ５で集光され、蛍光分光フィルター６に到達する。以下は図１と同じ構成で蛍光画像が撮影され、その画像から細胞が計測される。図１の場合との違いは、分光フィルター４を削除し、励起光集光レンズ１３を追加したことである。これにより光の分光フィルター４によるロスを軽減できることとなる。
【００９２】
上記構成において、細胞計測装置１で計測した細胞の数量が異常数値を超えた場合、細胞計測装置駆動用パソコン１２より警告音や、警告表示などの警告が発生し異常状態を即座に確認できるので、警告発生以降の無駄な計測を実施する必要がないことがわかるため、効率のよい細胞の計測が可能となる。
【００９３】
警告の発生は、細胞計測装置駆動用パソコン１２が付属のスピーカーや、液晶画面を駆動し警告音として出力したり、液晶画面での警告表示をしているが、警告音については外部スピーカー、警告表示は外付けの液晶モニターなどによる警告音の発生を行ってもよい。
【００９４】
また、細胞とは、酵母菌、大腸菌、黄色ブドウ球菌などをさし、感度的に見ればできるだけ大きな細胞、例えば酵母菌のほうが検出しやすい。また、使用する蛍光染色試薬の一例としては、励起光が紫外線で青色の蛍光を発する４’，６―ジアミジノ―２―フェニルインドールや、励起光が青色光で緑色の蛍光を発するＳＹＴＯ２４、励起光が緑色で赤色の蛍光を発するプロピディウムイオダイドなどがある。
【００９５】
また、ここで記載する照明照射手段２の例としては、波長が３６０ｎｍ〜８００ｎｍ程度を波長を発することが可能な光源がよいが、すでに述べた水銀灯やキセノンランプ等でも蛍光染色試薬を吸収波長が３６０ｎｍ〜８００ｎｍのものを選択することで使用可能となる。よって、蛍光色素の最大吸収波長近辺の波長の光をだす、ＬＥＤやレーザーなども使用できる。特にレーザーを使用した場合は、励起フィルター３を省略することも可能である。
【００９６】
上記構成において、細胞計測装置１で計測した細胞の数量が規定値を超えた場合、警告発生手段１１より警告が発生し異常状態を即座に確認できるので、警告発生以降の無駄な計測を実施する必要がないことがわかるため、効率のよい細胞の計測が可能となる。
【００９７】
（実施の形態２）
実施の形態１と同一部分は同一番号を附し、詳細な説明は省略する。
【００９８】
図３は、本発明の実施の形態２の構成図の一例である。図３に示すように、細胞計測装置１は、実施の形態１の構成に対して、計測中に計算された結果より、蛍光染色検体１０２上の全細胞数を推測するようにするプログラムである細胞数推測手段１４を備えた構成としたものである。
【００９９】
つまり、細胞数推測手段１４は、細胞計測手段９から計測された細胞数と、細胞計測装置駆動ソフト１０から計測済み面積と、蛍光染色検体１０２の全面積の情報を受け取り、検体の全面積から、計測済みの面積の合計を除算し計測済みの計測結果に除算した結果を乗算することで、最終結果を推測するものである。以下その最終結果を推測する計算式を記述すると、細胞数の最終結果の推測値＝検体の全面積÷計測済み面積の合計×計測済み面積の細胞数の合計値となる。細胞数推測手段１４は、上記細胞数の最終結果を推測する計算式のプログラムであり、細胞計測装置駆動用パソコン１２内にプログラムされて存在する。さらに、この推測結果を、警告発生手段１１に送り、異常判定数値とを比較し、異常判定数値より推測結果が大きい場合には、実施の形態１のように細胞計測装置駆動ソフト１０に異常信号を送り、細胞計測装置駆動用パソコン１２で異常表示を行う。
【０１００】
上記構成により計測結果が最終いくらになるか、異常であるかどうかを、最終計測結果をまたずに中間状態で知ることができ、異常であった場合には計測途中で計測を中断することができ計測効率の高い細胞計測が可能となる。
【０１０１】
さらに、細胞数推測手段１４により計算された結果により前記許容細胞数などのあらかじめ設定しておいた異常数値を超えた場合に警告発生手段１１により、異常が発生すれば警告を発することができ、異常状態を確認しやすい細胞計測装置１が提供できる。
【０１０２】
ここで、細胞数推測手段１４を備えたことで、警告発生手段１１でもつ異常数値は、計測が進むにつれて最終結果の確度が上がっていくので、前記異常数値となるあらかじめ定めておいた規定値も、前記駆動装置により蛍光染色検体１０２を移動して計測した箇所数に応じて変化させるようにする。
【０１０３】
具体的な一例を、総計測箇所を３０箇所とし、全箇所を計測した時点では、最終異常と判断する規定数値を１万として記述していく。
【０１０４】
各計測時点での異常を規定する数値は、最終計測時規定値と計測ばらつきを考慮して決める。今回の場合は、一画面目を計測した時点での異常値の規定値は、３万というように定める。本来は、計測ばらつきについては、蛍光染色検体１０２上の細胞の分布状態を実験的に求めるとよい。１画面目の規定値と、最終計測時規定値からの各計測時点での規定値を計算して定めていく。つまり、順次計測が進むにつれて、最終計測時点では１万が異常となるように数字を比例的に変化させていけばよい。
【０１０５】
つまり、一画面あたりの計測時点は次の式から、０．６９万となる。
【０１０６】
（３０万−１０万）／（３０画面−１画面）＝２０万／２９≒０．６９万
そして、２画面目計測時点は、３０万−０．６９万≒２９．３万というように設定することができる。
【０１０７】
すなわち、一画面計測が進むにつれて、約７０００が減算され、最終結果計測時は、異常値の設定値は１０万となる。
【０１０８】
上記構成により計測結果が最終いくらになるか、異常であるかどうかを、最終計測結果をまたずに中間状態で知ることができ、異常であった場合には計測途中で計測を中断することができ計測効率の高い細胞計測が可能となる。
【０１０９】
ただし、計測中の計測結果がすでに最終計測時の規定値を超えてしまう場合は、即座に異常と判断し警告を出すようにする。
【０１１０】
また、異常判定数値を計測の進行状況にあわせて変化させる、例えば、一番目の計測が完了した時点では、仮にＡという数値に定めたとした場合に、数番目の計測が完了した時点では、最終結果の推測をするのに、データが増えておりより確度の高い計測ができ、異常判定値をより最終結果を用いた判定値に近い数値Ｂに自動的に変更できるようにすることで、より計測効率の高い細胞計測システムが提供できる。
【０１１１】
その一例として、蛍光染色検体１０２をＮ箇所の撮影画像で菌数を推測しようとしたとき、最終結果が出た場合の異常判定値をＸとすると、１画面計測時の変化させる異常判定値Ｙ１は、Ｙ１＝Ｎ＊Ｘとし、２画面計測時の異常判定値Ｙ２は、Ｙ２＝Ｎ＊Ｘ／２、ＮＮ画面計測時の異常判定値ＹＮは、ＹＮ＝Ｎ＊Ｘ／ＮＮとすることで、異常判定の確度をあげることができる。
【０１１２】
（実施の形態３）
実施の形態１あるいは２と同一部分は同一番号を附し、詳細な説明は省略する。
【０１１３】
図４は、本発明の実施の形態３の構成図の一例である。図３に示すように、細胞計測装置１は、警告が発生された場合、計測を中断するようにするプログラムである計測中断手段１５を備えた構成としたものである。
【０１１４】
計測中断手段１５は、警告発生手段１１で発する警告信号を受けて、細胞計測装置駆動ソフト１０に計測中断信号を送り、細胞計測装置駆動ソフト１０は、照明照射手段２、撮影手段７などを停止させ、細胞計測装置駆動用パソコン１２にて、途中までの計測結果、異常原因、などを表示する。この場合、警告発生手段１１は、計測中断手段１５にも異常信号を送るようになっている。上記内容は、細胞計測装置駆動用パソコン１２内にプログラムされることにより行われる。また、警告発生手段１１が警告を発生する時は、実施の形態１、および２のいずれかに記載した場合である。
【０１１５】
上記構成により、警告発生と同時に計測作業を自動的に中止できるため、使用者が不要な計測データを取らないようにできるため、計測作業効率の高い細胞計測装置１が提供できることとなる。
【０１１６】
（実施の形態４）
実施の形態１乃至３のいずれかと同一部分は同一番号を附し、詳細な説明は省略する。
【０１１７】
図５は、本発明の実施の形態４の構成図の一例である。図５に示すように、細胞計測装置１は、実施の形態３の構成に対して蛍光染色試薬のより発光した部分の面積の大きさから１個の細胞および複数の細胞と判断するなど、細胞数を判断するプログラムである細胞数判断手段１６を追加した構成としたものである。
【０１１８】
細胞数判断手段１６は、細胞計測手段９の一機能として存在し、細胞計測手段９に送られてきた画像から、蛍光点の面積を計測し、その面積の大小で細胞が凝集して存在している事を判断し、面積の大きさにより細胞数のランクわけをするようにしたものである。
【０１１９】
例えば、そのランク分けは、発光点の面積が４ピクセル以下でれば、細胞１個、４０ピクセル以上であれば１０個、４００ピクセル以上であれば１００個というようにランクわけを行う。この値は、細胞計測装置１の撮影装置の画像数、レンズ倍率によってことなり、実験的に決めていく数値である。
【０１２０】
上記内容は、細胞計測装置駆動用パソコン１２内にプログラムされることにより行われる。
【０１２１】
上記構成により、細胞が塊で検体中にいた場合そのおおよその総数を把握することができ、精度の高い細胞計測装置１が提供できる。
【０１２２】
また、警告発生手段１１を備えていることで、計測結果の細胞数があらかじめ設定しておいた異常数値を超えると、警告を発生することができ、異常状態を即座に確認でき、無駄な計測を省略できるという効果も有する。
【０１２３】
また、警告発生時に細胞駆動装置システム１の計測を中断させる計測中断手段１５を備えていることで、使用者が不要な計測データを取らないようにできるため、計測作業効率の高い細胞計測装置１が提供できることとなる。
【０１２４】
（実施の形態５）
実施の形態１乃至４のいずれかと同一部分は同一番号を附し、詳細な説明は省略する。
【０１２５】
図６は、本発明の実施の形態５の構成図の一例である。図６に示すように、細胞計測装置１は、実施の形態４の構成に対して、予め設定した検査領域の発光点の面積を積算する発光点面積積算手段１７と発光点面積積算手段１７を用いて計測中に計算された結果より、最終発光面積総数を推測する発光点積算面積推測手段１８を追加した構成としたものである。
【０１２６】
発点面積積算手段１７は、各撮影画像より各発光点の面積を画像処理を行うことで算出し、算出された発光点の面積を順次加算することにより行われる。
【０１２７】
また、発光点積算面積推測手段１８は、検体の全面積から、計測済みの面積の合計を除算し発光点の積算面積計測済み結果に除算した結果を乗算することで、全発光点の面積を推測するものであり、以下その計算式を記述すると、全発光点の面積の推測値＝検体の全面積÷計測済み面積の合計×計測済みの発光点積算面積となる。発光点面積推測手段１８としては、上記全発光点の面積の推測の計算式は細胞計測装置駆動用パソコン１２内にプログラミングされることで行われる。
【０１２８】
上記計測システムの流れとしては、細胞計測手段９が蛍光点情報を取得し、その情報を発光点面積積算手段１７が受け現時点での蛍光点面積の計測結果を計算し、また、発光点面積積算手段１７からの情報と、細胞計測装置駆動ソフト１０からの計測位置情報を発光点積算面積推測手段１８が受け蛍光点面積の最終結果を推定するようにし、実施の形態４に示すように細胞数判断手段１６により推測面積を細胞数ランクに変換する。
【０１２９】
発光点面積積算手段１７、発光点積算面積推測手段１８は細胞計測手段９の一部として存在する。
【０１３０】
この構成とすることで、細胞の塊が存在していたとしても、細胞が占有していた面積を計測することで、実際に違い細胞数や、計測終了前に最終結果の推定値を知ることができ、結果の良し悪しを判断しながら計測が可能なため、計測中に次の対応を考えることができ、あらかじめ設定した数量を超えた場合には、警告を発生することと、警告発生時に細胞計測装置１の計測を中断することが可能なため、無駄な計測を省略できる計測効率のよい細胞計測装置１を得ることができる。
【０１３１】
また、この場合の警告発生手段１１に設定する警告発生時に用いる設定値は、発光点積算面積推測手段１８により最終結果の計測が進行するにつれ変わっていくため、変化していくようにしている。
【０１３２】
具体的な一例を、総計測箇所を３０箇所とし、全箇所を計測した時点では、最終異常と判断する面積の規定数値を２００万画素として記述していく。ここで、面積は、撮影画像の画素数であらわす。
【０１３３】
異常を規定する数値は、計測ばらつきを考慮して決める。今回の場合は、一画面目を計測した時点での異常値の規定値は、６００万画素といように定める。本来は、計測ばらつきについては、蛍光染色検体１０２上の細胞の分布状態を実験的に求めるとよい。
【０１３４】
１画面目の規定値と、最終計測時規定値からの各計測時点での規定値を計算して定めていく。つまり、順次計測が進むにつれて、最終結果時点では２００万画素が異常となるように数字を比例的に変化させていけばよい。２画面目計測時点は、次のような計算式より
（６００万画素−２００万画素）／（３０画面−１画面）＝４００万／２９≒１３．８万
なので、６００万画素−１３．８万画素＝５８６万画素というように設定することができる。
【０１３５】
一画面計測が進むにつれて、約１４万画素が減算され、最終結果計測時は、異常値の設定値は２００万画素となる。
【０１３６】
ただし、計測中の計測結果がすでに最終計測時の規定値を超えてしまう場合は、即座に異常と判断し警告を出すようにする。上記の内容は、細胞計測装置駆動用パソコン１２内にプログラミングして行われる。
【０１３７】
（実施の形態６）
実施の形態１乃至５のいずれかと同一部分は同一番号を附し、詳細な説明は省略する。
【０１３８】
図７は、本発明の実施の形態６の構成図の一例である。図７に示すように、細胞計測装置１は、実施の形態５の構成に対して、蛍光点の形状または占有する面積のデータから、細胞か細胞以外のものかを識別するプログラムである細胞識別手段１９を追加した構成としたものである。
【０１３９】
ここで、細胞識別手段１９は、細胞計測手段９の中に存在し、送信されてきた画像から、蛍光点の形状、面積を計測し、この形状、面積からあらかじめ細胞識別手段１９内に細胞に相当する形状及び面積をデータとして登録しておき、このデータに近いものがあれば、細胞と認識し、データと違う形状のものであれば、細胞以外の異物と認識させる形状認識処理といったものである。細胞識別手段１９で処理した結果をもとに、細胞計測手段９は細胞数を計測し、前述の実施の形態１乃至５に記載したように、細胞計測手段９は情報を発信する。細胞識別手段１９のような判断基準、形状認識処理などは、全てプログラムとして細胞計測装置駆動用パソコン１２に構成される。
【０１４０】
この構成とすることで、細胞をより選択的に計測することができ、計測精度の高い細胞計測装置１が得られる。また、細胞識別手段１９の認識データに、形状、面積の他に、蛍光点の輝度値もデータとして加えることも可能であり、こうすることで細胞計測装置１は、さらに計測精度の高いものとなる。
【０１４１】
（実施の形態７）
実施の形態１乃至６のいずれかと同一部分は同一番号を附し詳細な説明は省略する。
【０１４２】
図８は、本発明の実施の形態７の構成図の一例である。図８に示すように、細胞計測装置１は、実施の形態６に対して、細胞数推測手段１４、細胞数判断手段１６を削除し、計測された蛍光点の面積を細胞数に変換するようなプログラムである細胞数変換手段２０を設けた構成としたものである。
【０１４３】
この細胞数変換手段２０は、発光点面積積算手段１７、発光点面積推測手段１８より算出された細胞の面積情報を受け取り、あらかじめ細胞数変換手段２０内に登録された、実験により計測された細胞の一個あたりの面積を、前記面積情報の裁縫と判断した面積から除算し、除算した結果を細胞数とすることにより構成される。以下その細胞数の計算式を記述する。細胞数＝細胞と判断した面積÷細胞一個あたりの面積。
【０１４４】
この、細胞数変換手段２０は、細胞計測手段の一機能として存在し、その結果は細胞計測手段９から警告発生手段１１に伝達される、その後は前述の実施の形態１などのように処理が行われる。
【０１４５】
この構成とすることで、細胞の塊を細胞数に変換して計測できるため、精度の高い細胞計測装置１が提供できる。細胞数変換手段２０としては、上記細胞数の計算式等を細胞駆動用パソコン１２にプログラムして行われる。
【０１４６】
（実施の形態８）
実施の形態１乃至７のいずれかと同一部分は同一番号を附し詳細な説明は省略する。
【０１４７】
図９は、本発明の実施の形態８の構成図の一例である。図９に示すように、細胞計測装置１は、実施の形態７に対して、細胞計測装置１を駆動する細胞計測装置駆動ソフト１０を２重対立ち上げできないようにする２重立ち上げ防止手段２１を備えた構成としたものである。
【０１４８】
この２重立ち上げ防止手段２１は、先に立ち上がっている細胞計測装置駆動ソフト１０から特定の信号が出るようにあらかじめ細胞計測装置駆動ソフト１０をプログラムしておき、同じソフトが２重に起動しようとしたとき、あとから起動したソフトはそのフラグがあることを検知すれば、細胞計測装置駆動ソフト１０にプログラム実行終了させる信号終了信号を送り、ソフトの立ち上げを終了してしまうようにしたものである。また、前記終了信号を警告発生手段１１に送ることにより、この場合の警告発生手段１１は、２重立ち上げ異常信号を駆動ソフトに送るようにされており、前記２重立ち上げ異常信号をうけた細胞計測装置駆動ソフト１０は、細胞計測装置駆動用パソコン１２に２重立ち上げを示す警告音や、２重立ち上げがあったことを表示させる。
【０１４９】
この構成により、細胞計測装置１の動作不良をなくすことが可能となる。また、２重立ち上げ時に警告を発生する警告発生手段１１を設けることで、細胞計測装置駆動ソフト１０の２重立ち上げしたことを明確に使用者に知らせることができる細胞計測システム１が提供できる。
【０１５０】
（実施の形態９）
実施の形態１乃至８のいずれかと同一部分は同一番号を附し詳細な説明は省略する。
【０１５１】
図１０は、本発明の実施の形態９の構成図の一例である。図１０に示すように、細胞計測装置１は、実施の形態８に示す構成に対して警告音の音質を可変できるようにするプログラムである音質可変手段２２を設けたものである。
【０１５２】
この音質可変手段２２は、警告発生手段１１によって発生される警告の中で音声を発する場合に用いるものであり、音の周波数、音のパターン等を変化させることできるものであり、細胞計測装置駆動用パソコン１２内に音の周波数や、音のパターンをプログラムされており、使用者が自由に設定できるようにしている。
【０１５３】
この構成により、警告の種類を音質で区別することができるため、異常の種類を確実に察知することができる細胞計測装置１が提供できる。
【０１５４】
（実施の形態１０）
実施の形態１乃至９のいずれかと同一部分は同一番号を附し詳細な説明は省略する。
【０１５５】
図１１は、本発明の実施の形態１０の構成図の一例である。図１１に示すように、細胞計測装置１は、実施の形態９に示す構成に対して、計測が終了したことをしらせる新語上を発生するプログラムである終了音発生手段２３を設けた構成としたものである。
【０１５６】
この終了音発生手段２３は、細胞計測装置駆動ソフト１０より計測終了の情報を得、その情報により、音声信号を発生するよう細胞計測装置駆動用パソコン１２に伝えるように、細胞計測装置駆動用パソコン１２にプログラムされている。最終的に終了音は、細胞計測装置駆動用パソコン１２に付属するスピーカなどから発生する。
【０１５７】
この構成により、計測終了を音声で行うことで、離れていても細胞計測装置１から離れていても計測終了がわかり、確実な計測終了確認ができるため、計測の効率を向上させることが可能となる。
【０１５８】
さらに、前記終了音を音質可変手段２２にて可変とすることで、計測パターンの違いを終了音で知ることができより効率的な計測が可能となる。
【０１５９】
また、音質可変手段２２により、前記警告音と、前記終了音の音質を変えることで、正常計測終了か異常終了かの判断も簡単にでき、異常終了の場合、すぐに対応が必要なときは迅速に対応をすることができ、効率のよい計測が可能となる。
【０１６０】
（実施の形態１１）
実施の形態１乃至１０のいずれかと同一部分は同一番号を附し、詳細な説明は省略する。
【０１６１】
図１２は、本発明の実施の形態１１の構成図の一例である。図１２に示すように、細胞計測装置１は、実施の形態１０に示す構成に対して、細胞計測装置１を駆動する複数の計測内容の違うソフトが存在する場合、各ソフトで動作した部品の動作時間を積算できるようにするプログラムである動作時間積算手段２４を設けたものである。
【０１６２】
この、計測内容の違う複数の計測ソフトの一例としては、計測対象物を変える場合、画像処理を行うソフトを変える必要のある場合がある、その場合は同じ計測装置を用いて違う複数の細胞計測装置駆動ソフトが存在することになる。
【０１６３】
この動作時間積算手段２４は、各駆動ソフトで動作させた部品たとえば本特許の場合、具体的には光源用部品である照明照射手段２に用いる、水銀灯やＬＥＤ、レーザーなどの励起照明のような使用することで性能が劣化し交換を要する部品をさす。これらの部品が動作した時間をひとつの管理データで管理する構成にすることで行われ、この管理データに各部品の動作時間を書き込んだり、読み出したりできるように細胞駆動装置駆動用パソコン１２内にプログラムされている。
【０１６４】
この構成により、ひとつの駆動ソフト立ち上げ時に他の駆動ソフトで動作させた時間も積算できるため、正確な部品の動作時間を知ることができる。
【０１６５】
また、細胞計測装置駆動ソフト１０を起動させる起動アイコンの色を細胞計測装置１を駆動できる他の駆動ソフトの起動アイコンと変えることで、ソフトの起動間違いを少なくすることが可能となる。
【０１６６】
前記起動アイコンは、細胞計測装置駆動用パソコン１２の画面上に存在し、この駆動用アイコンをクリックすることで、細胞計測装置駆動用ソフト１０が起動し、細胞計測装置１での計測が可能な状態になる。
【０１６７】
また、細胞計測装置１に複数の駆動ソフトが存在する場合、細胞計測装置駆動ソフト１０で起動した細胞計測装置１の計測画面の外周色と細胞計測装置駆動ソフト１０起動用アイコンの色を同じにすることで、今細胞計測装置１がどのソフトで動いているのかがわかりやすくできる。
【０１６８】
ここで、計測画面とは、細胞計測装置駆動ソフト１０により作られるもので、細胞を計測するときのパラメータの設定や、計測結果を表示できるようにしたものである。
【０１６９】
（実施の形態１２）
実施の形態１乃至１１のいずれかと同一部分は同一番号を附し、詳細な説明は省略する。細胞計測装置１は、細胞計測装置駆動用パソコン１２により使用者が、異常と判定したい数値、すなわち警告を発生させる基準となる数値を使用者が入力することで、警告発生手段１１内に設定していた異常判定値、すなわち警告を発生させる基準となる数値を変更できるようにしたものである。異常判定値を使用者の基準に合わせて任意に変更でき、例えば、予め入力でき、警告発生の基準値である異常判定値を、国際酪農連盟の基準値である５０万個／ｍｌを考慮して、より安全側で警告を発する３０万個／ｍｌとしていたのを、使用者の自社基準の２５万個／ｍｌなどに変更、入力できる構成としたものである。
【０１７０】
この構成により、異常判定基準、すなわち警告を発生させる基準となる数値を使用者が任意に設定できるようになり、より使い易い細胞計測装置１が提供できる。
【０１７１】
（実施の形態１３）
実施の形態１乃至１２のいずれかと同一部分は同一番号を附し、詳細な説明は省略する。
【０１７２】
図１３は、本発明の実施の形態１３の構成図の一例である。図１３に示すように、細胞計測装置駆動用パソコン内にメモリーなどの異常内容記憶手段２５を備え、異常発生時その時の異常内容を記憶するようにしたものである。異常内容記憶手段２５としては、記憶できれば良く、メモリーなどがある。
【０１７３】
この構成により、使用者が過去の警告内容を保存しておくことができ、保存した過去の記憶内容を参照して、計測異常の内容を確認することができる細胞計測装置１を提供できる。
【０１７４】
（実施の形態１４）
実施の形態１乃至１３のいずれかと同一部分は同一番号を附し、詳細な説明は省略する。実施の形態１３で保存した警告内容を細胞計測装置駆動用パソコン１２、あるいは液晶などの外部表示装置等に表示可能とすることで、使用者が過去の警告内容をいつでも表示、確認、参照でき、過去の警告内容、原因と比較参照することにより、異常原因分析のしやすい細胞計測装置１が提供できる。
【０１７５】
（実施の形態１５）
実施の形態１乃至１４のいずれかと同一部分は同一番号を附し、詳細な説明は省略する。細胞計測装置１により、細胞計測装置駆動用パソコン１２、あるいは外部表示装置等に表示された計測結果を、次の計測時まで画面表示可能としたことで、使用者が計測結果の確認をし易くでき、結果の転記などをしたい時の転記忘れをし難くできる細胞計測装置１が提供できる。
【０１７６】
（実施の形態１６）
実施の形態１乃至１５のいずれかと同一部分は同一番号を附し、詳細な説明は省略する。細胞計測装置駆動用パソコン１２により使用者が、計測したい検体面積を任意に入力できるようにすることで、計測検体の自由度を増やせ、いろんな計測形態に対応した細胞計測装置１が提供できる。
【産業上の利用可能性】
【０１７７】
本発明の細胞計測装置は、検体に蛍光染色を行い、細胞の試薬との反応による蛍光を用いて蛍光した細胞の個数を計測する場合において、計測中に異常が発生した場合即座に警告を発生することが可能で、計測中に最終計測結果を推測しながら計測できるようにしたことで、計測効率のよい細胞計測装置として有用である。
【図面の簡単な説明】
【０１７８】
【図１】本発明の実施の形態１の細胞計測装置の一例の構成図
【図２】同実施の形態１の細胞計測装置の他例の構成図
【図３】同実施の形態２の細胞計測装置の一例の構成図
【図４】同実施の形態３の細胞計測装置の一例の構成図
【図５】同実施の形態４の細胞計測装置の一例の構成図
【図６】同実施の形態５の細胞計測装置の一例の構成図
【図７】同実施の形態６の細胞計測装置の一例の構成図
【図８】同実施の形態７の細胞計測装置の一例の構成図
【図９】同実施の形態８の細胞計測装置の一例の構成図
【図１０】同実施の形態９の細胞計測装置の一例の構成図
【図１１】同実施の形態１０の細胞計測装置の一例の構成図
【図１２】同実施の形態１１の細胞計測装置の一例の構成図
【図１３】同実施の形態１３の細胞計測装置の一例の構成図
【図１４】従来技術の微生物計測装置の構成図
【符号の説明】
【０１７９】
１      細胞計測装置
２      照明照射手段
３      励起フィルター
４      分光フィルター
５      対物レンズ
６      蛍光分光フィルター
７      撮影手段
８      細胞計測装置本体
９      細胞計測手段
１０    細胞計測装置駆動ソフト
１１    警告発生手段
１２    細胞計測装置駆動用パソコン
１３    励起光集光レンズ
１４    細胞数推測手段
１５    計測中断手段
１６    細胞数判断手段
１７    発光点面積積算手段
１８    発光点面積推測手段
１９    細胞識別手段
２０    細胞数変換手段
２１    ２重立ち上げ防止手段
２２    音質可変手段
２３    終了音発生手段
２４    動作時間積算手段
２５    異常内容記憶手段
１０２  蛍光染色検体
１０９  通信ケーブル
【図１】
2007040962.tif 000003
【図２】
2007040962.tif 000004
【図３】
2007040962.tif 000005
【図４】
2007040962.tif 000006
【図５】
2007040962.tif 000007
【図６】
2007040962.tif 000008
【図７】
2007040962.tif 000009
【図８】
2007040962.tif 000010
【図９】
2007040962.tif 000011
【図１０】
2007040962.tif 000012
【図１１】
2007040962.tif 000013
【図１２】
2007040962.tif 000014
【図１３】
2007040962.tif 000015
【図１４】
2007040962.tif 000016